【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
遠位端及び近位端を備えた本体と、前記本体からの突起部とを有する雄型コネクタであって、前記突起部が、ルアーテーパを備えた外部円錐表面、及び該突起部の遠位端に配置された開口部を有し、前記開口部が前記雄型コネクタ本体内に配置された流体通路と流体連通し、前記突起部が長さＬ１を有する雄型コネクタ、及び
遠位端及び近位端を備えた本体と、前記雄型コネクタの前記内部円錐表面と密封式に結合するように構成されたルアーテーパを備えた内部円錐表面を有する内部流体通路と、前記内部円錐表面の遠位端及び近位端の中間の点で前記内部流体通路に突出する部材とを有する雌型コネクタであって、前記部材は、前記雌型コネクタの前記近位端から長さＬ２のところに位置決めされて、前記突起部が該部材を越えて挿入されるのを妨げており、また前記長さＬ１より大きい長さを有する突起部を備えた雄型ルアー・コネクタの外部円錐表面が、前記雌型コネクタの前記内部円錐表面と密封式に結合することができないように、Ｌ１＝Ｌ２である雌型コネクタ
を有する接続装置。
【請求項２】
前記突起部が、前記本体から、前記本体の前記遠位端より短く延びている請求項１に記載の接続装置。
【請求項３】
ねじ切りされた係止ハブ、遠位端、近位端、及びルアーテーパを備えた外部円錐表面を備えた突起部を備えた本体と、前記突起部の遠位端に配置された開口部とを有する雄型コネクタであって、前記開口部が前記本体内に配置された流体通路と流体連通し、前記突起部が、前記外部円錐表面の近位端と前記遠位端の中間の点に溝穴を有している雄型コネクタ、及び
本体、遠位端、及び近位端を有する雌型コネクタであって、前記本体内に配置された流体通路が、前記雌型コネクタの前記外部円錐表面と密封式に結合するように構成されたルアーテーパを備えた内部円錐表面を有し、前記雌型コネクタが、前記内部円錐表面の近位端及び遠位端の中間の点で前記雌型コネクタ流体通路内に突出した支柱をさらに有し、該支柱は、前記雄型コネクタを雌型コネクタに挿入している間、前記突起部の溝穴と契合するように構成されており、それによって、溝穴のない雄型ルアー・コネクタの外部円錐表面が前記雌型コネクタの前記内部円錐表面と密封式に結合することができない雌型コネクタと
を有する接続装置。
【請求項４】
本体、遠位端及び近位端を有する雄型コネクタであって、前記本体の前記遠位端に開口部が配置され、前記開口部が前記本体内に配置された流体通路と流体連通し、前記雄型コネクタが、溝穴を備えた突起部を含む雄型コネクタと、
本体、遠位端及び近位端を有する雌型コネクタであって、前記本体内に流体通路が配置され、前記雌型コネクタが、前記本体内の前記流体通路に垂直な支柱をさらに有し、前記支柱が、前記雄型コネクタを該雌型コネクタに挿入する際に前記突起部の前記溝穴と係合する雌型コネクタと
を有する接続装置。
【請求項５】
前記雄型コネクタの前記溝穴が、前記雄型コネクタの前記突起部のまわりの回転切除部である請求項４に記載の接続装置。
【請求項６】
前記回転切除部は、前記雄型コネクタを前記雌型コネクタに挿入すると、前記雄型コネクタが回転し、前記雌型コネクタの前記支柱が上方へ前記溝穴を移動するように構成されている請求項５に記載の接続装置。
【請求項７】
前記支柱が前記溝穴と係合するように、前記雄型コネクタの前記溝穴が１８０°で映し出され、且つ前記雌型コネクタの前記支柱が円筒形に成形されている請求項６に記載の接続装置。
【請求項８】
前記雌型コネクタの前記支柱は、前記雄型コネクタが前記雌型コネクタに部分的に挿入されると、前記雄型コネクタの前記溝穴と係合するように前記流体通路内に位置決めされている請求項４に記載の接続装置。
【請求項９】
前記雌型コネクタの前記流体通路内の前記支柱の位置が、所定の雄型コネクタとの係合を妨げる請求項４に記載の接続装置。
【請求項１０】
前記雄雌型コネクタがルアー・コネクタである請求項４に記載の接続装置。
【請求項１１】
少なくとも１つの尖端部を備えた本体を有する雄型コネクタであって、該雄型コネクタは、スタンドオフを備えた管ポケットをさらに有し、前記スタンドオフは、流体が前記管ポケットの周縁経路を通って流れることができるように構成されており、前記雄型コネクタが少なくとも１つの取り付け部を含む雄型コネクタと、
少なくとも１つの溝を備えた本体を有する雌型コネクタであって、前記溝は、前記雄型コネクタの前記尖端部に対応しており、且つ前記雄型コネクタが前記雌型コネクタに挿入されると前記雄型コネクタを整列させるようになっており、前記雌型コネクタは、前記雄型コネクタの前記取り付け部と協働して前記雄型コネクタを該雌型コネクタの中に固定する隆起部をさらに有し、前記雌型コネクタは、スタンドオフを備えた管ポケットを含む雌型コネクタと
を有する接続装置。
【請求項１２】
前記雄型コネクタの前記本体が、少なくとも１つの翼部をさらに有し、且つ前記本体内にノッチをさらに有し、前記ノッチは、前記翼部が独立した可撓性を有することを可能にしている請求項１１に記載の接続装置。
【請求項１３】
前記雄型コネクタの前記取り付け部は、前記雌型コネクタの前記隆起部上に嵌ることによって該隆起部と係合するスナップ部である請求項１２に記載の接続装置。
【請求項１４】
前記翼部を圧縮すると、前記雄型コネクタの前記スナップ部が前記雌型コネクタの前記隆起部から解放され、それによって前記雄型コネクタを前記雌型コネクタから取り外すことができる請求項１３に記載の接続装置。
【請求項１５】
前記雄型コネクタの前記本体が複数の翼部を有している請求項１２に記載の接続装置。
【請求項１６】
前記雄型コネクタの前記取り付け部がねじ切りされており、やはりねじ切りされた前記雌型コネクタの前記隆起部と、該ねじ切りされた隆起部上にねじ込むことによって係合する請求項１１に記載の接続装置。
【請求項１７】
前記雄型コネクタの複数の尖端部が、前記雌型コネクタ上の複数の対応する溝と係合する請求項１１に記載の接続装置。
【請求項１８】
前記雄型コネクタ及び前記雌型コネクタの前記管ポケットが、典型的な静脈管類を受け入れるような大きさに作製される請求項１１に記載の接続装置。
【請求項１９】
前記雄型コネクタ及び雌型コネクタの前記スタンドオフは、前記静脈管類が前記雄型及び雌型コネクタの前記管ポケットの基部にシールを形成するのを防止する請求項１８に記載の接続装置。
【請求項２０】
前記雄型コネクタは、前記溝が前記尖端部と整列されるまで前記雌型コネクタ内で回転される請求項１１に記載の接続装置。
【請求項２１】
前記雄型コネクタの前記本体及び前記雌型コネクタの前記本体が、全体的に円筒形に成形される請求項１１に記載の接続装置。
【請求項２２】
標準的なＩＳＯのルアー・コネクタに適合しない請求項１１に記載の接続装置。
【請求項２３】
複数の尖端部を備えた本体を有する雄型コネクタであって、前記尖端部は集合して、複数の溝穴を備えたルアーテーパを備えた外部円錐表面を備えた前記本体からの突起部を形成するように構成されており、前記溝穴は、前記突起部の長さの少なくとも一部で前記尖端部を分離しており、前記各先端部は、それぞれの先端部の遠位端に開口部を有し、該開口部は、前記雄型コネクタ本体の内部に配置された流体通路と流体連通している雄型コネクタ、及び
内部円錐表面を有すキャビティを備えた本体を有する雌型コネクタであって、前記内部円錐表面は、前記雄型コネクタの前記尖端部に対応する前記内部円錐表面内の複数の溝を備えたルアーテーパを有し、前記各溝は、それぞれの溝の遠位端に開口部を有し、該開口部は、前記雌型コネクタ本体の内部に配置された流体通路と流体連通し、前記溝は、前記雄型コネクタが前記雌型コネクタに結合されたとき、前記雄型コネクタの溝穴内に適合するリブによって分離され、それによって、先端部のない雄型ルアー・コネクタの外部円錐表面が前記雌型コネクタの前記内部円錐表面と密封式に結合することができない雌型コネクタ
を有する接続装置。